(57)【要約】      （修正有）【課題】洋式便器で立って小便をする時に使用する、洗濯機で洗濯することができ、簡単に折りたたむことができ、手前方向の飛沫飛散も防ぐことができる洋式便器小便飛沫飛散防止具を提供する。【解決手段】首掛け洋式便器小便飛沫飛散防止具であって、半楕円形または半小判形あるいはそれに類する形状の円周部分の縁の形である枠１を二つ以上設け、それらの枠をつなぐ布状の物２を設ける。それらの枠のうちの一つに、両端がその枠につながっているひも状の物または輪状になっているひも状の物（首掛けひも５、調節ひも６）を設ける。【選択図】図２
2019122736.tif 000002
【特許請求の範囲】
【請求項１】
半楕円形または半小判形あるいはそれらに類する形状の円周部分の縁の形である枠を二つ以上設け、それらの枠をつなぐ布状の物を設け、それらの枠のうちの一つに、両端が同じ枠につながっているひも状の物または輪状になっているひも状の物を設けた首掛け洋式便器小便飛沫飛散防止具。
【発明の詳細な説明】
【技術分野】
【０００１】  本発明は、洋式便器にて男性が立って小便をする際の首掛け洋式便器小便飛沫飛散防止具に関するものである。
【背景技術】
【０００２】  従来の技術として、洋式便器の便座受け部にはめ込んで使用する筒状の小便飛沫飛散防止具がある（特許文献１参照）。
また、その他の従来技術として、洋式便器の上げた便座と便器との間に膜を形成し飛沫飛散を防止する便器がある（特許文献２参照）。
【先行技術文献】
【特許文献】
【０００３】
【特許文献１】特開２０１７−９６０８０号公報
【特許文献２】特開２０１０−１９６４５７号公報
【発明の概要】
【発明が解決しようとする課題】
【０００４】  洋式便器では男性が立って小便をすると、小便の細かい飛沫が便器周辺に飛び散り不潔である。
洋式便器の便座受け部にはめ込んで使用する筒状の小便飛沫飛散防止具では、洗濯機で洗濯することができず、衛生保持のためには雑巾などで内部全面を拭かねばならず、衛生保持が面倒である。さらに、大便をする際や女性が使用する際にはこの小便飛沫飛散防止具は不要となるが、全体が硬性であるため小さく折りたたんで床にどかしておくことを簡単に行うことができない。
また、洋式便器の上げた便座と便器との間に膜を形成し飛沫飛散を防止する便器では、立って小便をする男性から見て手前方向の飛沫飛散を防ぐことができず、男性の足元の床や下肢に飛沫が飛び散ってしまう。
本発明は、以上の問題点を解決するためになされたものである。
【課題を解決するための手段】
【０００５】  半楕円形または半小判形あるいはそれらに類する形状の円周部分の縁の形である枠を二つ以上設け、それらの枠をつなぐ布状の物を設け、それらの枠のうちの一つに、両端が同じ枠につながっているひも状の物または輪状になっているひも状の物を設ける。
以上の構成よりなる首掛け洋式便器小便飛沫飛散防止具。
【発明の効果】
【０００６】  本発明は、小便の飛沫を受ける部位を洗濯機で洗濯できるため、清潔保持が簡単である。
さらに、本発明は、大便をする際や女性が使用する際には、小さく折りたたむことを簡単に行うことができる。
そのうえ、本発明は、立って小便をする男性の足元の床や下肢への飛沫飛散も防ぐことができる。
【図面の簡単な説明】
【０００７】
【図１】本発明の受け布に切り込みを入れた場合の本発明の斜視図
【図２】本発明の受け布に切り込みを入れない場合の本発明の斜視図
【発明を実施するための形態】
【０００８】以下、本発明の実施の形態を説明する。
（ア）半楕円形または半小判形あるいはそれらに類する形の円周部分の縁の形である枠（１）を二つ設ける。
これらの二つの枠（１）については、一般的な家庭用洋式便器の受け部を上から見た場合の外縁周りよりやや大きくする。
これらの二つの枠（１）については、それぞれほぼ同じ大きさとし、硬性プラスチックなど硬い素材で作る。
なお、二つの枠（１）については、針金のような塑性のある素材で作るなど、曲げたらそのままの形を維持するような構造とし、使用者が枠（１）を自宅の便器に合わせた形状にすることができるようにする場合もある。
（イ）まず、広げると横長の長方形になる布状の物を設ける。この長方形の長辺の長さは、枠（１）の長さとほぼ同じとする。
布状の物の二つの長辺をそれぞれ枠（１）につなげ、この布状の物を飛沫を受けるための受け布（２）とする。
受け布（２）については、折り目が二つの枠（１）と平行な向きであり、かつ折り目の山がすべて枠の外側に向いているような蛇腹折りのものとする。
受け布（２）の二つの長辺には、マジックテープを用いて輪状にすることができる複数の取付バンド（３）を設ける。
これらの取付バンド（３）により、受け布（２）を枠（１）につなぐ。
受け布（２）については、洗濯機で洗うことができる素材のものとする。
なお、受け布（２）については、必ずしも正確な長方形である必要はなく、長方形に近い台形または長方形の四つの角を丸くした形など、長方形に近い形であればよい。
（ウ）受け布（２）に切り込み（４）を入れる場合もある。
この場合、受け布（２）の一つの長辺の中央部に、台形または台形に近い形の切り込み（４）を入れる。
（エ）二つの枠（１）の一つに、両端がその枠（１）につながっているひも状の物または輪状になっているひも状の物を設ける。
このひも状の物は、その枠（１）の中央部に設ける。
このひも状の物が、立って小便をする際に首にかける首掛けひも（５）となる。
（ウ）の場合には、受け布（２）の、切り込み（４）の開口部がある方の長辺に、首掛けひも（５）を設けた枠をつなぐ。
首掛けひも（５）については、バックルで長さを調節できるような構造とする。
（オ）首掛けひも（５）を設ける枠（１）の両端と、首掛けひも（５）をつなぐように、二本のひも状の物を設ける。
このひも状の物を、立って小便をする際に、首掛けひも（５）を設ける枠（１）がなるべくトイレの床と平行になるようにするための、調節ひも（６）とし、調節ひも（６）はバックルにて長さを調節できるような構造とする。
（カ）首掛けひも（５）の中央部にはマジックテープを設ける。
そのことにより、本発明を使用していない際には、受け布（２）またはそれに付いている取付バンド（３）に、首掛けひも（５）の中央部を接着することができるようにする。
（キ）本発明を使用していない際には、受け布（２）を蛇腹状の折り目に沿って折りたたみ、二つの枠（１）をなるべく近づけ、その状態を保持することができるようにする。
そのため、どちらかの枠（１）に、マジックテープを用いて輪状にすることができる固定バンド（７）を設ける。
（ク）大便時に水流で肛門を洗浄するシャワートイレを便座部分に設置することがあり、シャワートイレの操作盤が便器受け部の側面に飛び出ている構造である場合がある。この場合のために、首掛けひも（５）を設けない枠（１）の、枠の中央点と両端との間を２対１に内分する二つの点の付近に、本発明使用時に下となる方向に向かって突き出た板状または棒状の部位を設ける場合がある。
この板状または棒状の部位が、首掛けひも（５）を設けない枠（１）が操作盤上を滑り落ちて便座受け部の外縁の内側に入ってしまうことを防ぐ。
（ケ）受け布（２）に切り込み（４）を入れる構造では、受け布（２）の切り込み（４）周辺部が使用時に垂れてきて、注意して小便をしないとそこに尿がかかってしまうおそれがある。
それを防ぐため、二つの枠（１）の間に枠（１）をもう一つ増やす構造にする場合がある。
増やす枠（１）については、切り込み（４）最下部近くを通り他の枠（１）と平行な向きになり使用者から見て両端が奥になるように設ける。
この増やした枠（１）については、受け布（２）のこの枠（１）が通る箇所に複数の取付バンド（３）を設けて、その取付バンド（３）で受け布（２）に接着させることとする。
なお、増やす枠（１）を一つではなくさらに多くする場合もある。
本発明は以上の（ア）から（ケ）のような構造である。
本発明の使用方法については、以下の（コ）から（タ）のとおりである。
（コ）本発明を使用しない時は、受け布（２）を蛇腹状の折り目に沿って折りたたみ、固定バンド（７）を用いてすべての枠（１）をなるべく近づけた状態で保持し、首掛けひも（５）の中央部を受け布（２）またはそれに付いている取付バンド（３）に接着させ、洋式便器の根元に使用者から見て手前からすべての枠（１）をはめ込むように、便器の根元の床に本発明を置く。これで、本発明が邪魔にならない。
（サ）本発明を使用する際には、まず、首掛けひも（５）を設けている枠（１）をトイレの床と平行かつ上にして、枠（１）の両端が手前ではなく奥になるように本発明を持つ。
その後、便器のふたと便座を上げる。
（シ）首掛けひも（５）の接着を解き、固定バンド（７）をはずしてすべての枠（１）を離れさせ、首掛けひも（５）を設けた枠（１）を上に引っ張る。その他の枠（１）の自重と、首掛けひも（５）を設けた枠（１）を上に引っ張る力で、受け布（２）は広がる。
最も下になっている枠（２）が便器受け部の外縁の内側に入らないように、最も下になっている枠（２）の全体を便器受け部の最上面よりやや下になるようにする。
なお、受け布（２）を広げるために、最も下になっている枠（１）にある程度の重量が必要である。
（ス）大便時に水流で肛門を洗浄するシャワートイレが便座部分に設置されていて、操作盤が便器受け部の側面に飛び出した構造である場合には、（ク）で述べた板状または棒状の部位が操作盤と便座受け部外縁との間にはまるように、最も下になっている枠（１）を置く。
（セ）首掛けひも（５）を、本発明使用者が前方から首に掛ける。
なお、本発明を最初に使用する前に、固定バンド（７）をはずしすべての枠（１）を離れさせて受け布（２）を広げ、次に述べるような調節を行っておく。
首掛けひも（５）を設ける枠（１）がなるべくトイレの床と平行になり、なおかつ、受け布（２）に切り込み（４）がある場合には切り込み（４）最下部が使用者の股間よりやや下になるように、受け布（２）に切り込み（４）がない場合には首掛けひも（５）を設けている枠（１）が使用者の股間のやや下になるように、首掛けひも（５）と調節ひも（６）の長さを調節する。
本発明を使用する者が複数いる家庭では、最も背の高い使用者に合わせて調整する。
（ソ）使用した後については、先述した（コ）と同様である。
（タ）清潔保持のために、定期的に受け布（２）を洗濯機で洗濯する。
取付バンド（３）をはずし、受け布（２）をすべての枠（１）から取り外して、洗濯する。
乾燥後は、取付バンド（３）にて受け布（２）を、取り外し前の状態と同じになるようにすべての枠（１）につなぐ。
【符号の説明】
【０００９】１  枠、２  受け布、３  取付バンド、４  切り込み、５  首掛けひも、６  調節ひも、７  固定バンド
【図１】
2019122736.tif 000003
【図２】
2019122736.tif 000004